(57)【要約】【課題】過電流が発生したときも各回路の正常動作を確保できる構成を安価に実現する。【解決手段】カメラドライブユニット１は、カメラ接続端子ＣＮ［１］〜ＣＮ［４］に接続された４台のカメラに対し、ＡＣ／ＤＣコンバータ１１の出力電圧Ｖａを電力ラインＰＬ［１］〜ＰＬ［４］を介し電源重畳方式で供給する。電力ラインＰＬ［１］〜ＰＬ［４］には、ＣＰＵ１５にてオン／オフが制御されるリレーＲＬＹ［１］〜ＲＬＹ［４］が直列に挿入されている。ＣＰＵ１５が起動すると起動シーケンスが実行され、起動シーケンスの中で、ＤＣ／ＤＣコンバータ１８の起動、及び、リレーＲＬＹ［１］〜ＲＬＹ［４］の順次オンを介した各系統回路の過電流検出が実行される。特定の系統回路に過電流が検出された場合、その旨を示す異常情報がメモリ１６に保存され起動シーケンスが再実行される。再度の起動シーケンスでは特定の系統回路のリレーのオンが禁止される。【選択図】図２
2015119526.tif 000002
【特許請求の範囲】
【請求項１】
入力電圧から出力電圧を生成する電源回路と、
前記出力電圧が印加される内部端子に接続された電力ライン、前記電力ラインに直列に挿入された電力スイッチ、及び、前記電力ラインに流れる電流を検出する電流検出部を、各々に有した複数の系統回路と、
各電流検出部の検出結果に基づいて各系統回路の電力ラインにおける過電流の有無を検出し、前記過電流の有無検出結果に基づいて各電力スイッチのオン／オフを制御する制御部と、を備え、
前記制御部は、前記複数の系統回路に含まれる特定系統回路の電力ラインに過電流が有ると検出したとき、前記特定系統回路に対応する異常情報を保存するメモリを有し、前記異常情報が前記メモリに保存されているとき、前記特定系統回路の電力スイッチのオンを禁止する
ことを特徴とする電力供給装置。
【請求項２】
前記制御部の制御の下、前記内部端子における前記出力電圧から処理回路用駆動電圧を生成する処理回路用電源部と、
前記処理回路用駆動電圧を用いて所定処理を行う処理回路と、を更に備え、
前記制御部は、自身の起動後、前記処理回路用電源部を起動させる一方で各系統回路の電力スイッチをオンして各系統回路の電力ラインにおける過電流の有無を検出し、前記特定系統回路の電力ラインに過電流が有ると検出したとき、前記異常情報を前記メモリに保存した後、前記特定系統回路の電力スイッチのオンを禁止しつつ前記処理回路用電源部を再起動させる
ことを特徴とする請求項１に記載の電力供給装置。
【請求項３】
前記複数の系統回路は、第１〜第ｎ系統回路から成り（ｎは２以上の整数）、
前記制御部は、自身の起動後、起動シーケンスを実行し、
前記起動シーケンスにおいて、前記処理回路用電源部を起動させる一方で、第ｉ系統回路の電力スイッチをオンして第ｉ系統回路の電力ラインにおける過電流の有無を検出する単位処理を第１〜第ｎ系統回路の夫々に対して順次実行し（ｉはｎ以下の自然数）、
前記単位処理の順次実行の過程において前記特定系統回路の電力ラインに過電流が有ると検出したとき、全電力スイッチをオフしてから前記起動シーケンスを再度実行し、再度の起動シーケンスにおいては、前記メモリの保存内容に基づき前記特定系統回路に対する前記単位処理を不実行とする
ことを特徴とする請求項２に記載の電力供給装置。
【請求項４】
各系統回路は機器接続端子を更に有し、
各系統回路において、前記電力ラインは、前記内部端子と前記機器接続端子との間に設けられ、
各機器接続端子は、ケーブルを介して負荷機器に接続可能であって、接続された前記負荷機器からの信号を受け、
各系統回路において、前記電力スイッチがオンとされているとき、前記出力電圧が、前記機器接続端子に接続されたケーブルに重畳されて対応する負荷機器に供給される
ことを特徴とする請求項１乃至３の何れかに記載の電力供給装置。
【請求項５】
請求項４に記載の電力供給装置と、
前記電力供給装置の前記複数の系統回路における複数の機器接続端子に接続される複数のケーブルと、
前記複数のケーブルに接続される複数の負荷機器としての複数のカメラと、を備えた
ことを特徴とするカメラシステム。
【発明の詳細な説明】
【技術分野】
【０００１】
本発明は、電力供給装置に関する。
【背景技術】
【０００２】
図９に、カメラドライブユニット９００を備えた電源重畳方式のカメラシステムの概略構成図を示す。ユニット９００には４台のカメラＣＭを接続可能である。ユニット９００において、ＡＣ／ＤＣコンバータ９０１により商用交流電圧から直流電圧Ｖａが生成され、複数のＤＣ／ＤＣコンバータにより直流電圧Ｖａから複数の直流電圧が生成され、それらの複数の直流電圧にてＣＰＵ９０２及び１以上の処理回路９０３が駆動する。一方、ユニット９００内の４本の電力ラインの各一端はＡＣ／ＤＣコンバータ９０１の出力端子に接続され、各電力ラインの他端はケーブル９０５を介して対応するカメラＣＭに接続される。各電力ラインにはリレー９０４が直列に挿入されており、ＣＰＵ９０２は各電力ラインの電流検出値に基づく過電流検出の結果を用いて、各リレー９０４のオン／オフを制御する。或るリレー９０４がオンのとき、当該リレー９０４を介して直流電圧Ｖａがカメラ駆動電圧（例えば直流の２４Ｖ）としてケーブル９０５に重畳されて対応カメラＣＭに供給され、対応カメラからの映像信号（ＳＤＩ信号等）が同ケーブル９０５を介してユニット９００に入力される。処理回路９０３は、各カメラＣＭからの映像信号に対する映像信号処理等を行う。映像信号処理によって例えばＨＤＭＩ（登録商標）信号が生成され、ＨＤＭＩ信号が表示装置（不図示）に供給されることで、各カメラＣＭの撮影結果が表示される。
【０００３】
尚、電源重畳方式を採用したシステムにおいて、カメラに接続されるケーブルに短絡又は断線等の異常があるとき、カメラへの電源供給を停止する技術が提案されている（例えば下記特許文献１又は２参照）。
【先行技術文献】
【特許文献】
【０００４】
【特許文献１】特開平６−８６２９２号公報
【特許文献２】特開平７−２２２０３９号公報
【発明の概要】
【発明が解決しようとする課題】
【０００５】
図９の構成において、ケーブル９０５等が短絡している状態で各リレー９０４をオンすると、対応する電力ラインに過電流が流れて電圧Ｖａが相応に低下し、ＤＣ／ＤＣコンバータの出力も低下して制御系（ＣＰＵ９０２、処理回路９０３）の動作が停止することがある。これを回避すべく、商用交流電圧から制御系の駆動電圧を生成する専用ＡＣ／ＤＣコンバータをＡＣ／ＤＣコンバータ９０１とは別に設ける方策、ＡＣ／ＤＣコンバータ９０１の出力容量を増大させる方策、又は、電力ラインに電流制限回路を設ける方策も考えられる。しかしながら、専用ＡＣ／ＤＣコンバータの別途設置、ＡＣ／ＤＣコンバータ９０１の出力容量増大又は電流制限回路の設置は、ユニット９００における部品点数増加、コスト増加及びサイズ増加を招く。
【０００６】
そこで本発明は、短絡等が発生していても各回路の正常動作を安価に確保できる電力供給装置を提供することを目的とする。
【課題を解決するための手段】
【０００７】
本発明の一側面に係る電力供給装置は、入力電圧から出力電圧を生成する電源回路と、前記出力電圧が印加される内部端子に接続されたライン、前記ラインに直列に挿入されたスイッチ、及び、前記ラインに流れる電流を検出する電流検出部を、各々に有した複数の系統回路と、各電流検出部の検出結果に基づいて各系統回路のラインにおける過電流の有無を検出し、前記過電流の有無検出結果に基づいて各スイッチのオン／オフを制御する制御部と、を備え、前記制御部は、前記複数の系統回路に含まれる特定系統回路のラインに過電流が有ると検出したとき、前記特定系統回路に対応する異常情報を保存するメモリを有し、前記異常情報が前記メモリに保存されているとき、前記特定系統回路のスイッチのオンを禁止することを特徴とする。
【発明の効果】
【０００８】
本発明によれば、短絡等が発生していても各回路の正常動作を安価に確保できる電力供給装置を提供可能である。
【図面の簡単な説明】
【０００９】
【図１】本発明の実施形態に係るカメラシステムの全体構成図である。
【図２】本発明の実施形態に係るカメラドライブユニットの内部構成図である。
【図３】カメラドライブユニットにおける１つの系統回路の構成を示す図である。
【図４】カメラドライブユニットにおける、カメラ接続端子とリレーと処理回路との接続関係を示す図である。
【図５】カメラドライブユニットの動作フローチャートである。
【図６】カメラドライブユニットにおける起動シーケンスのフローチャートである。
【図７】過電流が検出された場合における、カメラドライブユニットの起動シーケンスの流れを示す図である。
【図８】過電流が検出された場合における、カメラドライブユニットの起動シーケンスの流れを示す図である。
【図９】電源重畳方式が採用された従来のカメラシステムの概略構成図である。
【発明を実施するための形態】
【００１０】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって、該記号又は符号に対応する情報、信号、物理量、状態量又は部材等の名称を省略又は略記することがある。
【００１１】
［カメラシステムの全体構成］
図１は、本発明の実施形態に係るカメラシステムの全体構成図である。カメラシステムを、任意の建物、施設などに対する監視カメラシステムとして利用可能である。カメラシステムは、カメラドライブユニット１（以下ユニット１とも言う）と、ｎ台のカメラＣＭ［１］〜ＣＭ［ｎ］と、ユニット１とカメラＣＭ［１］〜ＣＭ［ｎ］を１対１で接続するｎ本のケーブルＣＬ［１］〜ＣＬ［ｎ］と、を有する。ユニット１は、ケーブルＣＬ［１］〜ＣＬ［ｎ］に１対１で接続されるｎ個のカメラ接続端子ＣＮ［１］〜ＣＮ［ｎ］を有し、各カメラ接続端子に対して１台のユニットを接続可能である。ｎは２以上の任意の整数である。ここでは、ｎ＝４であるとする。任意の整数ｉに関し、ケーブルＣＬ［ｉ］は端子ＣＮ［ｉ］に接続され且つカメラＣＭ［ｉ］はケーブルＣＬ［ｉ］を介して端子ＣＮ［ｉ］に接続される。本明細書では、特に記述無き限り、カメラＣＭ［ｉ］に対する説明はカメラＣＭ［１］〜ＣＭ［４］の夫々に適用され、ケーブルＣＬ［ｉ］に対する説明はケーブルＣＬ［１］〜ＣＬ［４］の夫々に適用され、端子ＣＮ［ｉ］に対する説明は端子ＣＮ［１］〜ＣＮ［４］の夫々に適用される。
【００１２】
カメラＣＭ［ｉ］は、自身の撮影領域内の被写体を撮影し、撮影結果を示す映像信号をケーブルＣＬ［ｉ］を介して端子ＣＮ［ｉ］に入力することでユニット１に伝送する。カメラＣＭ［ｉ］が送出する映像信号の信号形態は任意であり、任意の規格に準拠し得る。ここでは、カメラＣＭ［ｉ］が、ＳＤＩ（Serial Digital Interface）の規格（特に例えば、ＨＤ−ＳＤＩ）に従った映像信号を含むＳＤＩ信号を、ケーブルＣＬ［ｉ］を介してユニット１に伝送するものとする。カメラＣＭ［ｉ］が収音機能を有している場合、ＳＤＩ信号には映像信号に同期した音声信号も含まれ得る。
【００１３】
カメラシステムでは電源重畳方式を採用しており、従って、ケーブルＣＬ［ｉ］内の共通の導体線（配線）に、カメラＣＭ［ｉ］からのＳＤＩ信号が重畳されると共にカメラＣＭ［ｉ］を駆動するためのカメラ電源電圧が重畳される。故に、端子ＣＮ［ｉ］は、ＳＤＩ信号の入力端子としての機能と、カメラ電源電圧の重畳出力端子としての機能を持つ。カメラ電源電圧はユニット１内で生成され、端子ＣＮ［ｉ］及びケーブルＣＬ［ｉ］を介してカメラＣＭ［ｉ］に送られる。カメラ電源電圧は、直流の２４Ｖ（ボルト）であるとする。
【００１４】
ケーブルＣＬ［ｉ］は任意の形態のケーブルであって良いが、ここでは、ケーブルＣＬ［ｉ］が、内側導体線と、絶縁体を介して内側導体線の外周を囲む外側導体線とを有する同軸ケーブルであるとする。ケーブルＣＬ［ｉ］の両端にはＢＮＣプラグが設けられており、ケーブルＣＬ［ｉ］の一端におけるＢＮＣプラグが、ＢＮＣジャックとして形成された端子ＣＮ［ｉ］に接続される。ケーブルＣＬ［ｉ］が端子ＣＮ［ｉ］に接続されたとき、ケーブルＣＬ［ｉ］の内側導体線及び外側導体線は、夫々、端子ＣＮ［ｉ］の内側導体及び外側導体に接続される。端子ＣＮ［ｉ］の外側導体は、ユニット１において固定された所定電位であるグランド電位に保たれている。端子ＣＮ［ｉ］の内側導体に直流の２４Ｖが印加されることで、カメラ電源電圧がカメラＣＭ［ｉ］に供給される。カメラＣＭ［ｉ］は、ケーブルＣＬ［ｉ］にて伝送されるカメラ電源電圧を分離抽出することで自身の駆動電圧を得る。当該分離抽出の機能を、ユニット１及びカメラＣＭ［ｉ］間に設けられる電源分離器（不図示）に担わせても良い。
【００１５】
ユニット１は、映像出力端子ＣＮｏｕｔを有し、カメラＣＭ［１］〜ＣＭ［４］の内、１以上のカメラからのＳＤＩ信号に基づく映像信号を映像出力端子ＣＮｏｕｔから出力可能である。端子ＣＮｏｕｔから出力される映像信号の形態は任意であるが、ここでは、ＨＤＭＩ（High-Definition Multimedia Interface）の規格に準拠したＨＤＭＩ信号が、カメラからのＳＤＩ信号に基づく映像信号として、端子ＣＮｏｕｔから出力されるものとする。ＨＤＭＩ信号には音声信号も含まれる。テレビ受信機などの表示装置ＤＳＰは、ケーブルを介して端子ＣＮｏｕｔに接続され、ユニット１からのＨＤＭＩ信号を映像として表示する。カメラＣＭ［１］〜ＣＭ［４］の撮影結果が並列且つ同時に表示装置ＤＳＰに表示されるようなＨＤＭＩ信号をユニット１にて生成可能である。ＨＤＭＩ信号を記録可能なレコーダ装置（不図示）が端子ＣＮｏｕｔに接続されても良い。表示装置ＤＳＰ又はレコーダ装置もカメラシステムの構成要素に含まれる、と考えても良い。端子ＣＮ［ｉ］にて受けたＳＤＩ信号をそのままユニット１の外部に出力する端子（不図示）がユニット１に設けられていても良い。
【００１６】
［カメラドライブユニットの内部構成］
図２に、カメラドライブユニット１の概略内部構成を示す。ユニット１は、符号１１〜１９によって参照される各部位を備えると共に、ｎ個の系統回路（チャネル回路）ＳＳ［１］〜ＳＳ［ｎ］を有する。上述したように、ここではｎ＝４であるとする。
【００１７】
ＡＣ／ＤＣコンバータ１１は、商用交流電圧（例えば交流１００Ｖ）を電力変換することで直流電圧Ｖａを生成し、直流電圧Ｖａを内部端子１２に出力及び印加する。直流電圧Ｖａは、上述のカメラ電源電圧として機能するため、本例では２４Ｖである。内部端子１２は、コンバータ１１の出力端子そのもの、又は、コンバータ１１の出力端子に接続された端子である。ＤＣ／ＤＣコンバータ１３、１８は、夫々、電力変換によって直流電圧Ｖａから直流電圧Ｖｂ（例えば３．３Ｖの直流電圧）、直流電圧Ｖｃ（例えば０．７５Ｖの直流電圧）を生成して出力する。電圧Ｖａ、Ｖｂ及びＶｃの電圧値は互いに異なる。
【００１８】
コンバータ１３が生成した電圧Ｖｂはライン１４を介してＣＰＵ（Central Processing Unit）１５に供給される。ライン１４とグランドとの間には比較的大きな静電容量値を持つコンデンサ１７が接続されており、ライン１４における電圧がコンデンサ１７に印加される。ＣＰＵ１５は、ライン１４における電圧Ｖｂ、即ちコンデンサ１７の両極間電圧を用いて駆動する。グランドとは、ユニット１内における、上記グランド電位を有する導体を指す。商用交流電圧を除き、本実施形態で述べる各電圧はグランド電位を基準とする電圧である。ＣＰＵ１５にはメモリ１６が内蔵されている。但し、メモリ１６は、ＣＰＵ１５の外部に配置された、直流電圧Ｖｂにて駆動するメモリであっても良い。メモリ１６は不揮発性メモリであると良いが、揮発性メモリであっても構わない。処理回路１９は、コンバータ１８から出力される電圧Ｖｃに基づいて駆動する。
【００１９】
系統回路ＳＳ［１］〜ＳＳ［４］は互いに同じ構成を有する。特に記述無き限り、系統回路ＳＳ［ｉ］に対する説明は系統回路ＳＳ［１］〜ＳＳ［４］の夫々に適用される。図２及び図３に示す如く、系統回路ＳＳ［ｉ］は、内部端子１２とカメラ接続端子ＣＮ［ｉ］との間に設けられた電力ラインＰＬ［ｉ］と、電力ラインＰＬ［ｉ］に直列に挿入されたリレーＲＬＹ［ｉ］と、電力ラインＰＬ［ｉ］に流れる電流を検出する電流検出部ＣＤ［ｉ］を備え、更にカメラ接続端子ＣＮ［ｉ］を備える。電力ラインＰＬ［１］〜ＰＬ［４］の各一端は、内部端子１２にて共通接続される。電力ラインＰＬ［ｉ］の他端は端子ＣＮ［ｉ］の内側導体に接続され、電力ラインＰＬ［ｉ］の一端及び他端間にリレーＲＬＹ［ｉ］が介在する。
【００２０】
リレーＲＬＹ［ｉ］が閉路して内部端子１２及び端子ＣＮ［ｉ］間が導通状態になることをリレーＲＬＹ［ｉ］のオンと表現し、リレーＲＬＹ［ｉ］が開路して内部端子１２及び端子ＣＮ［ｉ］間が非導通状態になることをリレーＲＬＹ［ｉ］のオフと表現する。
【００２１】
電力ラインＰＬ［ｉ］に流れる電流の値を記号Ｉ［ｉ］にて表す。電流検出部ＣＤ［１］〜ＣＤ［４］の検出結果、即ち、電流値Ｉ［１］〜Ｉ［４］はＣＰＵ１５に伝送される。ＣＰＵ１５は、検出された電流値Ｉ［１］〜Ｉ［４］に基づきつつリレーＲＬＹ［１］〜ＲＬＹ［４］のオン／オフを制御する。また、ＣＰＵ１５は、コンバータ１８の起動制御も行う。ＣＰＵ１５が、コンバータ１８に所定の起動信号を与えたとき、コンバータ１８が起動して電圧Ｖｃの生成及び出力が開始される。
【００２２】
処理回路１９は、映像信号処理を含む任意の信号処理を行う。映像信号処理は、カメラＣＭ［１］〜ＣＭ［４］から端子ＣＮ［１］〜ＣＮ［４］に送られてきたＳＤＩ信号をＨＤＭＩ信号に変換する処理などを含む。図２及び図３には示されていないが、図４に示す如く、各系統回路において、電力ラインＰＬ［ｉ］におけるリレーＲＬＹ［ｉ］及び端子ＣＮ［ｉ］間の部分には、ＳＤＩ信号による交流信号成分がリレーＲＬＹ［ｉ］に向かうことを抑制するインダクタＬ［ｉ］が設けられていると共に、インダクタＬ［ｉ］及び端子ＣＮ［ｉ］間の接続点と処理回路１９の間には、ＳＤＩ信号による交流信号成分のみを処理回路１９に伝達するためのコンデンサＣ［ｉ］が設けられている。故に、処理回路１９は、コンデンサＣ［ｉ］を介して各カメラからのＳＤＩ信号を受信できる。
【００２３】
尚、コンバータ１８は、直流電圧Ｖａから互いに異なる複数の直流電圧Ｖｃを生成する複数のコンバータであっても良く、処理回路１９は、複数の直流電圧Ｖｃに対応する複数の処理回路であっても良い。この場合、複数の処理回路の夫々は、対応する直流電圧Ｖｃに基づいて駆動する。
【００２４】
［カメラドライブユニットの動作］
次に、カメラドライブユニット１の動作について説明する。図５は、ユニット１の動作手順を示すフローチャートである。ステップＳ１において、ユニット１に設けられた主電源スイッチ（不図示）がオンとされると、ステップＳ２にて、商用交流電圧がＡＣ／ＤＣコンバータ１１に供給されてＡＣ／ＤＣコンバータ１１による直流電圧Ｖａの生成及び出力が開始され、続いて、ＤＣ／ＤＣコンバータ１３による直流電圧Ｖｂの生成及び出力が開始される。すると、ステップＳ３において、ＣＰＵ１５が自身に供給された直流電圧Ｖｂに基づき起動し、ステップＳ４における起動シーケンスを実行する。起動シーケンスの後、ステップＳ５の主動作が行われる。リレーＲＬＹ［ｉ］はノーマリオフ型のリレーであり、起動シーケンスの中でオンとされる。従って、起動シーケンスの実行前において、リレーＲＬＹ［１］〜ＲＬＹ［４］は全てオフである。
【００２５】
図６を参照して、ＣＰＵ１５にて実行される起動シーケンスを説明する。起動シーケンスは、ステップＳ１１〜Ｓ２０の処理から成る。起動シーケンスでは、まずステップＳ１１において、ＣＰＵ１５から処理回路１９用のＤＣ／ＤＣコンバータ１８に対し起動信号が供給される。この起動信号の供給を受け、ＤＣ／ＤＣコンバータ１８が起動して直流電圧Ｖｃの生成及び出力が開始される。続くステップＳ１２において変数ｉに１を代入された後、ステップＳ１３にて、ＣＰＵ１５は、メモリ１６に異常情報ＩＮＦ［ｉ］が保存されているか否かをチェックする。異常情報ＩＮＦ［ｉ］の意義については後述する。当初、メモリ１６に異常情報ＩＮＦ［ｉ］は保存されていないため、ステップＳ１３からステップＳ１４に移行する。ステップＳ１４において、ＣＰＵ１５は、系統回路ＳＳ［ｉ］のリレー、即ちリレーＲＬＹ［ｉ］をオンした後、ステップＳ１５にて系統回路ＳＳ［ｉ］の過電流検出を行う。過電流検出の結果を得てからステップＳ１６に進む。
【００２６】
系統回路ＳＳ［ｉ］の過電流検出では、電流検出部ＣＤ［ｉ］にて検出された電流値Ｉ［ｉ］を所定の閾値ＩTHと比較する。そして、電流値Ｉ［ｉ］が閾値ＩTH以上である場合、ＣＰＵ１５は系統回路ＳＳ［ｉ］に過電流が有る（換言すれば、系統回路ＳＳ［ｉ］の電力ラインＰＬ［ｉ］に過電流が流れている）と判断してステップＳ１６からステップＳ１９への移行を発生させる一方、電流値Ｉ［ｉ］が閾値ＩTH未満である場合には系統回路ＳＳ［ｉ］に過電流は無い（換言すれば、系統回路ＳＳ［ｉ］の電力ラインＰＬ［ｉ］に過電流が流れていない）と判断してステップＳ１６からステップＳ１７への移行を発生させる。ラッシュ電流などの過渡的電流成分の影響を考慮し、例えば、リレーＲＬＹ［ｉ］をオフからオンに切り替えた時点から所定時間が経過した時点において検出された電流値Ｉ［ｉ］を、閾値ＩTHと比較すると良い。
【００２７】
ステップＳ１７において、変数ｉが４であるか、即ち全系統回路に対して過電流検出を行ったかが判断される。ｉ＝４である場合には起動シーケンスを終了して図５のステップＳ５に移行するが、そうでない場合には、ステップＳ１８にて変数ｉに１を加算してからステップＳ１３に戻る。
【００２８】
ステップＳ１９において、ＣＰＵ１５は、系統回路ＳＳ［ｉ］を特定する異常情報ＩＮＦ［ｉ］をメモリ１６に保存する。この保存後、ステップＳ２０において、ＣＰＵ１５はリレーＲＬＹ［１］〜ＲＬＹ［４］を全てオフにする。異常情報ＩＮＦ［ｉ］は、系統回路ＳＳ［ｉ］に過電流が流れたこと、又は、系統回路ＳＳ［ｉ］に対応する負荷若しくは系統回路ＳＳ［ｉ］自体に異常があることを指し示す。系統回路ＳＳ［ｉ］に対応する負荷は、カメラＣＭ［ｉ］を含み、更にケーブルＣＬ［ｉ］を含むと考えて良い。当該負荷の異常には、ケーブルＣＬ［ｉ］の短絡又はカメラＣＭ［ｉ］内における直流電圧Ｖａの入力を受ける電圧入力部の短絡が含まれる。ケーブルＣＬ［ｉ］の短絡又はカメラＣＭ［ｉ］の電圧入力部の短絡は、過電流発生の要因である。ケーブルＣＬ［ｉ］の状態又はカメラＣＭ［ｉ］の電圧入力部の状態が完全な短絡状態でなくとも、過電流は発生し得る。
【００２９】
カメラＣＭ［ｉ］の電圧入力部等が短絡している状態でリレーＲＬＹ［ｉ］をオンとすると、内部端子１２の電圧が急激に低下してＤＣ／ＤＣコンバータ１８の動作が停止し、直流電圧Ｖｃも低下して処理回路１９の動作も停止することが多い。この場合、処理回路１９の動作を正常に復帰させるためには、ＤＣ／ＤＣコンバータ１８の再起動が必要である。一方、カメラＣＭ［ｉ］の電圧入力部等が短絡している状態でリレーＲＬＹ［ｉ］のオン及び系統回路ＳＳ［ｉ］の過電流検出を行っても、コンデンサ１７の存在によりＣＰＵ１５は正常動作を一定時間維持でき、ステップＳ２０までの処理を正常に完了できる。
【００３０】
１つの系統回路ＳＳに対するステップＳ１５の処理の長さは例えば１秒である。カメラＣＭ［ｉ］の電圧入力部等が短絡している状態でリレーＲＬＹ［ｉ］をターンオンした後、ステップＳ２０にて全リレーがオフとされるまでの時間が所定時間ＴREFであるとすると、少なくとも時間ＴREFだけ直流電圧Ｖａが０ＶになってもＣＰＵ１５の動作継続が確保できるように、コンデンサ１７の静電容量値を決定しておけばよい。
【００３１】
ステップＳ２０にて全リレーをオフとした後、ＣＰＵ１５は起動シーケンスを再度実行する。但し、ＣＰＵ１５は、再度の起動シーケンスにおいては、メモリ１６の保存内容に基づき、過電流が有ると判断された系統回路のリレーのオンを禁止する。
【００３２】
より具体的には、再度の起動シーケンスにおいて、ＣＰＵ１５は、ＤＣ／ＤＣコンバータ１８に再び起動信号を供給してＤＣ／ＤＣコンバータ１８を再起動させた後（ステップＳ１１）、変数ｉに１を代入し（ステップＳ１２）、ステップＳ１３にてメモリ１６に異常情報ＩＮＦ［ｉ］が保存されているかを確認する。メモリ１６に異常情報ＩＮＦ［ｉ］が保存されていない場合には、上述したようにステップＳ１３からステップＳ１４に進むが、メモリ１６に異常情報ＩＮＦ［ｉ］が保存されている場合にはステップＳ１３からステップＳ１７への移行が発生する。上述したように、ステップＳ１７では変数ｉが４であるかが確認され、ｉ＝４である場合には起動シーケンスを終了して図５のステップＳ５に移行する一方、そうでない場合には、ステップＳ１８にて変数ｉに１を加算してからステップＳ１３に戻る。
【００３３】
起動シーケンスの完了後における図５のステップＳ５では、ユニット１にて主動作が実行される。主動作中の各系統回路ＳＳ［ｉ］において、対応するリレーＲＬＹ［ｉ］がオンとされているとき、直流電圧ＶａがケーブルＣＬ［ｉ］に重畳されてカメラＣＭ［ｉ］に供給される一方でカメラＣＭ［ｉ］からのＳＤＩ信号がケーブルＣＬ［ｉ］に重畳されて端子ＣＮ［ｉ］に入力される。主動作では、各カメラＣＭ［ｉ］からのＳＤＩ信号に基づきＨＤＭＩ信号を生成する処理及び該ＨＤＭＩ信号を映像出力端子ＣＮｏｕｔから出力する処理が実行される他、信号断絶検出及び通常過電流検出などが実行され、起動シーケンスで過電流が検出されなかった系統回路ＳＳ［ｉ］のリレーＲＬＹ［ｉ］は、主動作において所定条件が満たされない限りオンに維持される。
【００３４】
信号断絶検出及び通常過電流検出は、対応するリレーＲＬＹ［ｉ］がオンとされている各系統回路ＳＳ［ｉ］に対して実行され、上記所定条件の充足／不充足は信号断絶検出又は通常過電流検出の結果に依存する。信号断絶検出において、ＣＰＵ１５は処理回路１９と協働して、端子ＣＮ［ｉ］にＳＤＩ信号が入力されているか否かを検知し、端子ＣＮ［ｉ］にＳＤＩ信号が入力されていない場合には、信号断絶が発生していると判断してリレーＲＬＹ［ｉ］をオフとする。通常過電流検出において、ＣＰＵ１５は、電流検出部ＣＤ［ｉ］による検出電流値Ｉ［ｉ］を監視し、検出電流値Ｉ［ｉ］が所定時間以上継続して所定の閾値以上となっている場合、系統回路ＳＳ［ｉ］に過電流が発生していると判断してリレーＲＬＹ［ｉ］をオフとする。信号断絶又は過電流の発生時には、ユニット１は、その旨をユーザに対し視覚的又は聴覚的に報知すると良く、ユニット１以外の装置（サーバ装置や登録された端末装置）に対し、その旨を無線又は有線にて伝達しても良い。
【００３５】
起動シーケンスにおいて系統回路ＳＳ［１］〜ＳＳ［４］の全てに過電流が検出されなかった第１ケースでは、ステップＳ１４及びＳ１５から成る単位処理が系統回路ＳＳ［１］〜ＳＳ［４］の夫々に対して実行され、ステップＳ１９及びＳ２０に至ることなく、起動シーケンスが完了する。この場合、リレーＲＬＹ［１］〜ＲＬＹ［４］が全てオンとされた状態で主動作が実行される。
【００３６】
図７は、起動シーケンスにて系統回路ＳＳ［２］にのみ過電流が検出される第２ケースの動作の流れを示している。第２ケースでは、メモリ１６に異常情報が保存されていない状態で、起動シーケンス３１０が実行される。起動シーケンス３１０において、１回目のステップＳ１４及びＳ１５にてリレーＲＬＹ［１］がオンされて系統回路ＳＳ［１］の過電流検出３１１が行われ、２回目のステップＳ１４及びＳ１５にてリレーＲＬＹ［２］がオンされて系統回路ＳＳ［２］の過電流検出３１２が行われる。過電流検出３１２にて系統回路ＳＳ［２］に過電流が有ると判断されるため、異常情報ＩＮＦ［２］がメモリ１６に保存され且つ全リレーがオフとされた後、起動シーケンスが再度実行される。再度の起動シーケンス３２０では、１回目のステップＳ１４及びＳ１５にてリレーＲＬＹ［１］がオンされて系統回路ＳＳ［１］の過電流検出３２１が行われ、２回目のステップＳ１４及びＳ１５にてリレーＲＬＹ［３］がオンされて系統回路ＳＳ［３］の過電流検出３２２が行われ、３回目のステップＳ１４及びＳ１５にてリレーＲＬＹ［４］がオンされて系統回路ＳＳ［４］の過電流検出３２３が行われ、その後、リレーＲＬＹ［２］がオンとされることなく主動作が開始される。再度の起動シーケンス３２０では、メモリ１６に異常情報ＩＮＦ［２］が保存されているため、ｉ＝２のときステップＳ１４及びＳ１５を介することなくステップＳ１３からステップ１７に直接移行するからである。図６を参照して説明したように、起動シーケンス３１０及び３２０の夫々はステップＳ１１の処理を含んでいる。
【００３７】
図８は、起動シーケンスにて系統回路ＳＳ［２］及びＳＳ［３］にのみ過電流が検出される第３ケースの動作の流れを示している。第３ケースでは、メモリ１６に異常情報が保存されていない状態で、起動シーケンス３３０が実行される。起動シーケンス３３０において、１回目のステップＳ１４及びＳ１５にてリレーＲＬＹ［１］がオンされて系統回路ＳＳ［１］の過電流検出３３１が行われ、２回目のステップＳ１４及びＳ１５にてリレーＲＬＹ［２］がオンされて系統回路ＳＳ［２］の過電流検出３３２が行われる。過電流検出３３２にて系統回路ＳＳ［２］に過電流が有ると判断されるため、異常情報ＩＮＦ［２］がメモリ１６に保存され且つ全リレーがオフとされた後、起動シーケンスが再度実行される。再度の起動シーケンス３４０では、１回目のステップＳ１４及びＳ１５にてリレーＲＬＹ［１］がオンされて系統回路ＳＳ［１］の過電流検出３４１が行われ、２回目のステップＳ１４及びＳ１５にてリレーＲＬＹ［３］がオンされて系統回路ＳＳ［３］の過電流検出３４２が行われる。過電流検出３４２にて系統回路ＳＳ［３］に過電流が有ると判断されるため、異常情報ＩＮＦ［３］がメモリ１６に保存され且つ全リレーがオフとされた後、起動シーケンスが再々実行される。再々実行される起動シーケンス、即ち３回目の起動シーケンス３５０では、１回目のステップＳ１４及びＳ１５にてリレーＲＬＹ［１］がオンされて系統回路ＳＳ［１］の過電流検出３５１が行われ、２回目のステップＳ１４及びＳ１５にてリレーＲＬＹ［４］がオンされて系統回路ＳＳ［４］の過電流検出３５２が行われ、その後、リレーＲＬＹ［２］及びＲＬＹ［３］がオンとされることなく主動作が開始される。図６を参照して説明したように、起動シーケンス３３０、３４０及び３５０の夫々はステップＳ１１の処理を含んでいる。
【００３８】
尚、起動シーケンスの繰り返し実行において、同一の系統回路に対する過電流検出の重複実行を割愛しても良い。例えば、図７の第２ケースにおいて、起動シーケンス３２０の中でリレーＲＬＹ［１］をオンとしつつも過電流検出３２１の実行を割愛しても良い。同様に例えば、図８の第３ケースにおいて、起動シーケンス３４０及び３５０の中でリレーＲＬＹ［１］をオンとしつつも過電流検出３４１及び３５１の実行を割愛しても良い。
【００３９】
上述したように、起動シーケンスにおいて、特定の系統回路の負荷短絡等により特定の系統回路の電力ラインに過電流が流れると直流電圧Ｖａが所望の目標値（例えば２４Ｖ）から相応に低下してＤＣ／ＤＣコンバータ１８の動作が停止することがある。この場合、ＤＣ／ＤＣコンバータ１８の再起動を含む起動シーケンスの再実行が必要になるが、起動シーケンスの再実行において特定の系統回路のリレーを再びオンとすると、ＤＣ／ＤＣコンバータ１８の動作が再び停止することになる。本実施形態によれば、過電流発生が認められた特定の系統回路に対応する異常情報がメモリに保存され、再度の起動シーケンスにおいては、メモリの保存内容に基づき特定の系統回路のリレーがオンとされないため、特定の系統回路を切り離した状態で正常な主動作が確保される。
【００４０】
一度起動したＤＣ／ＤＣコンバータ１８の、上記のような動作停止を回避して、正常な主動作を確保するべく、商用交流電圧から直流電圧Ｖｃを生成する専用ＡＣ／ＤＣコンバータをＡＣ／ＤＣコンバータ１１とは別に設ける方策、ＡＣ／ＤＣコンバータ１１の出力容量を増大させる方策、又は、電力ラインに電流制限回路を設ける方策も考えられる。しかしながら、専用ＡＣ／ＤＣコンバータの別途設置、ＡＣ／ＤＣコンバータ１１の出力容量増大又は電流制限回路の設置は、ユニット１における部品点数増加、コスト増加及びサイズ増加を招く。本実施形態の方法によれば、それらが不要になるため、各回路の正常動作を安価に確保できる。
【００４１】
［変形等］
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【００４２】
例えば、直流電圧Ｖａの電圧値は２４Ｖでなくともよい。図６のフローチャートは一例であり、図６の動作と同様の動作が実現される限り、又は、図７若しくは図８の動作と同様の動作が実現される限り、ユニット１におけるフローチャートは適宜変更可能である。
【００４３】
尚、主動作の開始後、瞬時停電などによって直流電圧Ｖａが一時的に低下してカメラＣＭ［ｉ］の動作が停止したとき、コンデンサ１７の静電容量値によっては、ＣＰＵ１５だけが瞬時停電に耐えて動作を維持する場合がある。この場合、停電が解消しカメラＣＭ［ｉ］の正常動作復帰が可能な状態に戻っても、ＣＰＵ１５がカメラＣＭ［ｉ］について信号断絶が発生していると判断することがある。このような事態を回避すべく、主動作の開始後、瞬時停電などによって直流電圧Ｖａが一時的に低下してカメラＣＭ［ｉ］の動作が停止するような状況下においては、電圧Ｖｂの低下によってＣＰＵ１５の動作も停止するように、コンデンサ１７の静電容量値を決定しておくと良い。
【００４４】
上述のカメラシステムにおいては、ＳＤＩ信号が伝送される導体線（配線）にカメラ電源電圧としての直流電圧Ｖａが重畳されているが、ＳＤＩ信号が伝送される導体線とは異なる導体線を介して、ユニット１は直流電圧ＶａをカメラＣＭ［ｉ］に供給するようにしても良い。この場合、ＳＤＩ信号が伝送される導体線とは異なる導体線が、ケーブルＣＬ［１］〜ＣＬ［４］の夫々に設けられる。
【００４５】
ユニット１若しくはＣＰＵ１５である対象装置又はＣＰＵ１５及びメモリ１６の組み合わせである対象装置を、集積回路等のハードウェア、或いは、ハードウェアとソフトウェアの組み合わせによって構成することができる。対象装置にて実現される機能の全部又は一部である任意の特定の機能をプログラムとして記述して、該プログラムを対象装置に搭載可能なフラッシュメモリに保存しておいても良い。そして、該プログラムをプログラム実行装置（例えばＣＰＵ１５）上で実行することによって、その特定の機能を実現するようにしてもよい。上記プログラムは任意の記録媒体に記憶及び固定されうる。上記プログラムを記憶及び固定する記録媒体は、対象装置と異なる機器（サーバ機器等）に搭載又は接続されても良い。
【００４６】
［本発明の考察］
本発明について考察する。上述のカメラシステムは、本発明に係る電力供給装置を内蔵している又は本発明に係る電力供給装置として機能している、と考えられる。
【００４７】
本発明の一側面に係る電力供給装置は、入力電圧から出力電圧を生成する電源回路と、前記出力電圧が印加される内部端子に接続された電力ライン、前記電力ラインに直列に挿入された電力スイッチ、及び、前記電力ラインに流れる電流を検出する電流検出部を、各々に有した複数の系統回路と、各電流検出部の検出結果に基づいて各系統回路の電力ラインにおける過電流の有無を検出し、前記過電流の有無検出結果に基づいて各電力スイッチのオン／オフを制御する制御部と、を備え、前記制御部は、前記複数の系統回路に含まれる特定系統回路の電力ラインに過電流が有ると検出したとき、前記特定系統回路に対応する異常情報を保存するメモリを有し、前記異常情報が前記メモリに保存されているとき、前記特定系統回路の電力スイッチのオンを禁止することを特徴とする。
【００４８】
特定系統回路に接続される負荷機器等の異常により、特定系統回路の電力ラインに過電流が流れることがある。特定系統回路の電力ラインに過電流が流れると上記出力電圧が所望の目標値から相応に低下する。出力電圧の低下は、出力電圧を利用して動作する様々な回路の動作を停止させる又は正常動作を阻害する。上記構成では、特定系統回路の電力ラインに過電流が有ると検出したとき、それに対応する異常情報をメモリに保存する。その後は、特定系統回路の電力スイッチのオンが禁止されるので、特定系統回路の負荷を他系統回路から切り離すことが可能であり、結果、出力電圧を利用する回路の正常動作を確保できるようになる。
【００４９】
この正常動作の確保のために、入力電圧から専用の駆動電圧（例えば制御系の専用駆動電圧）を生成する専用電源回路を上記電源回路とは別に設ける方策、上記電源回路の出力容量を増大させる方策、又は、上記電力ラインに電流制限回路を設ける方策も考えられる。しかし、専用電源回路の別途設置、電源回路の出力容量増大又は電流制限回路の設置は、電源供給回路の部品点数増加、コスト増加又はサイズ増加を招く。上記構成によれば、それらが不要になるため、各回路の正常動作を安価に確保できる。
【００５０】
具体的には例えば、前記電力供給装置は、前記制御部の制御の下、前記内部端子における前記出力電圧から処理回路用駆動電圧を生成する処理回路用電源部と、前記処理回路用駆動電圧を用いて所定処理を行う処理回路と、を更に備え、前記制御部は、自身の起動後、前記処理回路用電源部を起動させる一方で各系統回路の電力スイッチをオンして各系統回路の電力ラインにおける過電流の有無を検出し、前記特定系統回路の電力ラインに過電流が有ると検出したとき、前記異常情報を前記メモリに保存した後、前記特定系統回路の電力スイッチのオンを禁止しつつ前記処理回路用電源部を再起動させると良い。
【００５１】
特定系統回路の電力ラインに過電流が流れると上記出力電圧が低下して処理回路用電源部の動作が停止し、結果、処理回路の動作が停止することがある。上記構成によれば、特定系統回路の電力ラインに過電流が有ると検出したとき、メモリ保存処理を通じて対応電力スイッチのオンが禁止された状態で処理回路用電源部の再起動が成されるので、以後、処理回路用電源部の正常動作を含む電力供給装置の正常動作が確保される。
【００５２】
より具体的には例えば、前記複数の系統回路は、第１〜第ｎ系統回路から成り（ｎは２以上の整数）、前記制御部は、自身の起動後、起動シーケンスを実行し、前記起動シーケンスにおいて、前記処理回路用電源部を起動させる一方で、第ｉ系統回路の電力スイッチをオンして第ｉ系統回路の電力ラインにおける過電流の有無を検出する単位処理を第１〜第ｎ系統回路の夫々に対して順次実行し（ｉはｎ以下の自然数）、前記単位処理の順次実行の過程において前記特定系統回路の電力ラインに過電流が有ると検出したとき、全電力スイッチをオフしてから前記起動シーケンスを再度実行し、再度の起動シーケンスにおいては、前記メモリの保存内容に基づき前記特定系統回路に対する前記単位処理を不実行とすると良い。
【００５３】
起動シーケンスにおいて特定系統回路に過電流が検出された場合には、動作停止のおそれのある処理回路用電源部の再起動を含む起動シーケンスを再実行する。再度の起動シーケンスにおいては特定系統回路の単位処理が実行されず特定系統回路が他の系統回路から切り離されるため、処理回路用電源部の正常動作を含む電力供給装置の正常動作が確保される。
【００５４】
また具体的には例えば、前記電力供給装置は、各系統回路は機器接続端子を更に有し、各系統回路において、前記電力ラインは、前記内部端子と前記機器接続端子との間に設けられ、各機器接続端子は、ケーブルを介して負荷機器に接続可能であって、接続された前記負荷機器からの信号を受け、各系統回路において、前記電力スイッチがオンとされているとき、前記出力電圧が、前記機器接続端子に接続されたケーブルに重畳されて対応する負荷機器に供給されると良い。
【００５５】
また、前記電力供給装置と、前記電力供給装置の前記複数の系統回路における複数の機器接続端子に接続される複数のケーブルと、前記複数のケーブルに接続される複数の負荷機器としての複数のカメラと、を備えたカメラシステムを形成しても良い。
【００５６】
尚、図２において、ＣＰＵ１５は制御部の例であり、カメラ接続端子ＣＮ［ｉ］は機器接続端子の例であり、ＡＣ／ＤＣコンバータ１１は電源回路の例であり、商用交流電圧は入力電圧の例であり、リレーＲＬＹ［ｉ］は電力スイッチの例であり、ＤＣ／ＤＣコンバータ１８は処理回路用電源部の例である。電力供給装置における入力電圧は直流電圧であっても構わない。電力供給装置における各電力スイッチは、リレーＲＬＹ［ｉ］の如く機械式のリレーにて形成されていても良いし、電界効果トランジスタ等の半導体スイッチング素子にて形成されていても良い。また、電力供給装置の機器接続端子にケーブルを介して接続される負荷機器は、カメラ以外の機器、例えば、収音機器や任意の物理量を検出するセンサ機器であっても良い。
【符号の説明】
【００５７】
１  カメラドライブユニット
１１  ＡＣ／ＤＣコンバータ
１２  内部端子
１５  ＣＰＵ
１６  メモリ
１９  処理回路
ＣＭ［１］〜ＣＭ［４］  カメラ
ＣＬ［１］〜ＣＬ［４］  ケーブル
ＣＮ［１］〜ＣＮ［４］  カメラ接続端子
ＳＳ［１］〜ＳＳ［４］  系統回路
ＰＬ［１］〜ＰＬ［４］  電力ライン
ＲＬＹ［１］〜ＲＬＹ［４］  リレー
ＣＤ［１］〜ＣＤ［４］  電流検出部
【図１】
2015119526.tif 000003
【図２】
2015119526.tif 000004
【図３】
2015119526.tif 000005
【図４】
2015119526.tif 000006
【図５】
2015119526.tif 000007
【図６】
2015119526.tif 000008
【図７】
2015119526.tif 000009
【図８】
2015119526.tif 000010
【図９】
2015119526.tif 000011